(57)【要約】      （修正有）【課題】ラジオ放送のリスナーに、ラジオを聴きながら音楽や音声などの媒体コンテンツを便利よく購入する機能を提供する。【解決手段】ラジオ放送に加えて、歌の題名およびアーティスト、作者または出版社、およびデジタルバージョンのコンテンツが格納されている場所のＩＰアドレスなどのデータを、ＲＢＤＳ／ＲＤＳデータストリームを使用して送信する。ユーザは、このデータを使用して購入要求を、無線伝送を介して、あるいは、パーソナルコンピュータを使用した、または携帯電話または無線電話を介したインターネットへのアクセスによって購入サーバに送信し、媒体コンテンツを購入する。【選択図】図２
2011239429.tif 000002
【特許請求の範囲】
【請求項１】
放送信号の一部として提供されたデータに基づいて処理を行うシステムであって、
音声ストリーム、および該音声ストリーム内のプログラム資料を識別するＲＢＤＳデータストリームを含む放送チャネルから、ＲＢＤＳデータ信号を抽出する放送受信機回路と、
前記データ信号に対応した情報を表示することを可能にするディスプレイと、
ユーザが表示された情報から処理を選択することを可能にするユーザ入力制御手段と、
ユーザの識別および選択された処理の識別を含み、応答認証システムに提供される処理要求を提供する出力装置とを含むシステム。
【請求項２】
表示された情報が購入可能な媒体ファイルを識別するものである請求項１記載のシステム。
【請求項３】
購入した音声を受け取る入力手段をさらに含む請求項２記載のシステム。
【請求項４】
前記入力手段が無線ネットワーク接続である請求項３記載のシステム。
【請求項５】
出力装置が可搬性メモリ装置である請求項１記載のシステム。
【請求項６】
出力装置がシリアルデータポートである請求項１記載のシステム。
【請求項７】
出力装置がパラレルデータポートである請求項１記載のシステム。
【請求項８】
出力装置が無線送信機である請求項１記載のシステム。
【請求項９】
ラジオ放送信号における媒体ストリームとともに送信されたデータストリームに応答するシステムであって、
前記ラジオ放送信号を検出し、前記データストリームから、少なくとも一部が前記媒体ストリーム内のプログラムコンテンツを識別するように構成されているデータ信号を抽出する放送受信機回路と、
前記データ信号を格納するメモリと、
前記データ信号に対応する情報を表示するディスプレイと、
ユーザが前記デジタル信号に対応した購入要求に着手することを可能にするユーザ入力制御手段と、
前記購入要求を応答認証システムに送信する送信機と、
通信ネットワークを介して前記購入要求に対応する媒体を受け取る媒体ダウンロード装置とを含むシステム。
【請求項１０】
前記ユーザ入力制御手段がボタンである請求項９記載のシステム。
【請求項１１】
前記ユーザ入力制御手段が音声コマンド装置である請求項９記載のシステム。
【請求項１２】
前記データストリームがラジオ放送データシステム標準に準拠しているものである請求項９記載のシステム。
【請求項１３】
前記データストリームがラジオデータサービス標準に準拠しているものである請求項９記載のシステム。
【請求項１４】
前記送信機が無線接続を使用するものである請求項９記載のシステム。
【請求項１５】
前記送信機がコンピュータとのインタフェースを使用するものである請求項９記載のシステム。
【請求項１６】
放送ラジオ信号内に埋め込まれたデータストリームに応答して送信された要求を処理する応答認証システムであって、
顧客情報を含むデータベースと、
データストリーム識別子コードと通信ネットワーク上の前記データストリームの場所とを相互に関連付けるデータベースと、
前記放送ラジオ信号へのユーザの応答によって生成され、プログラム部分および該プログラム部分を識別するデータ部分を有する指定のデータストリームに対する要求の受取り
と、前記データストリーム場所データベースに含まれる情報とを相互に関連付けるサーバと、
顧客情報の通信を受け取る注文遂行サーバとを含むシステム。
【請求項１７】
注文の完了によって指定されたデータストリームに対応するファイルがダウンロードされるものである請求項１６記載のシステム。
【請求項１８】
前記データストリーム識別子コードがコンパクトディスク上に格納された識別情報から抽出されるものである請求項１６記載のシステム。
【請求項１９】
放送チャネル内に埋め込まれたデータストリームへの応答を提供する方法であって、
変調されたデジタル信号ストリームおよび変調されたアナログ信号ストリームを含むラジオ放送信号からデジタルデータ信号を抽出するステップと、
前記変調されたアナログ信号ストリームを復調し、該復調されたアナログ信号ストリームを再生するステップと、
ユーザが前記デジタルデータ信号のコンテンツを識別し、スクロールすることを可能にするフォーマットでデジタルデータを表示するステップと、
前記表示されたデジタルデータからユーザによって選択された選択を送信するステップとを含む方法。
【請求項２０】
音声放送への応答を受け取る方法であって、
音声信号、および該音声信号を識別し、該音声信号に関する情報を受信機がユーザに表示することを可能にするフォーマットで放送される付随し識別するデータ信号を含む信号を放送するステップと、
ユーザ、およびユーザが応答している音声信号を識別するユーザからの応答を受け取るステップと、
ユーザ識別および前記音声信号の入手可能性を確認するステップと、
ユーザへの応答を行うステップとを含む方法。
【請求項２１】
前記ユーザへの応答を行うステップが、媒体ファイルを送信することを含む請求項２０記載の方法。
【請求項２２】
前記ユーザの応答に作用するステップが寄付を処理することを含む請求項２０記載の方法。
【請求項２３】
前記ユーザの応答に作用するステップが、複数の媒体ファイルを送信することを含む請求項２０記載の方法。
【請求項２４】
放送信号の一部として提供されたデータに基づいて処理を実行するシステムであって、
音声ストリーム、ビデオストリーム、およびデータストリームを含む放送信号からデータ信号を抽出する放送受信機回路と、
前記データ信号に対応した情報をテレビ画面に表示することを可能にするディスプレイドライバと、
ユーザが前記表示された情報から処理を選択することを可能にするユーザ入力制御手段と、
応答認証システムによって提供される、ユーザの識別および選択された処理の識別を含む処理要求を提供する出力装置とを含むシステム。
【請求項２５】
放送信号の一部として提供されたデータに基づいて処理を実行するシステムであって、
放送ラジオ周波数信号から、音声ストリームおよびデータストリームを含むデータ信号を抽出する放送受信機回路と、
ユーザが前記音声ストリームコンテンツに基づいて処理に着手するのを可能にするユーザ入力制御手段と、
応答認証システムによって提供される、ユーザの識別および選択された処理の識別を含む処理要求を提供する出力装置とを含むシステム。
【請求項２６】
放送ラジオ周波数信号の一部として提供されたテータに基づいて処
理を実行するシステムであって、
音声ストリーム、および該音声ストリームにおけるプログラム資料を識別するデータストリームを含む放送チャネルからデータ信号を抽出する手段と、
前記データ信号に対応する情報を表示する手段と、
ユーザが前記表示された情報から処理を選択することを可能にする手段と、
応答認証システムによって提供される、ユーザの識別および選択された処理の識別を含む処理の要求を行う手段とを含むシステム。
【発明の詳細な説明】
【発明の詳細な説明】
【０００１】
（発明の背景）
発明の分野
本発明は、電子購入システムに関し、より詳細には、ＡＭ／ＦＭラジオ放送に応答する電子購入システムを提供することに関する。
【０００２】
関連技術の説明
ＦＭ放送配信の初期から、放送局は、主な搬送波信号の他にバックグラウンドミュージック、視覚障害者のための朗読サービスなどの補助信号を含めてきた。主な搬送波信号とともにデータを送信するという考えが広まり、現在、多くの放送ラジオサービスは、補助データ信号を送信しているか、またはそれを行うための方法を開発しつつある。現在最も広範に使用されているデータ伝送標準は、米国ラジオ放送データシステム（theUnitedStatesRadioBroadcastDataSystems）（「ＲＢＤＳ」）標準である。
【０００３】
全米ラジオシステム委員会（theNationalRadioSystemsCommittee）によって発行され、電子工業会（theElectronicsIndustryAssociation）および全米放送協会（theNationalAssociationofBroadcasters）が後援するＲＢＤＳ標準には、標準ＦＭ放送チャネルの副搬送波で番組に関係する様々な情報を放送するためのシステムが記載されている。ＲＢＤＳ標準には、放送局の識別および位置情報だけでなく、時間、トラフィックおよびその他の種々の情報を送信するためのシステムが示されている。
【０００４】
ＲＢＤＳ標準は、放送局が、コールサイン、放送局のフォーマット、トラフィック警報、スクロール文字メッセージなどの情報を互換性のあるラジオに送信できるように設計された。
【０００５】
多くの放送局は、１９９０年代初頭に、ＦＣＣが推奨する無料でエンコーダを提供するプログラムを通じてＲＢＤＳエンコーダをインストールした。この「ＲＢＤＳキャンペーン」に参加しなかったラジオ放送局においてもやはり低価格でエンコーダを得ることができる。
【０００６】
ＲＢＤＳエンコーダは、ＦＭ放送局の放送信号とともに変調し、特別なデコーダによって復調することができる「副搬送波」として知られるものを生成する。ＲＢＤＳは、５７ｋＨｚの副搬送波周波数を使用する。市販のＲＢＤＳエンコーダは、一般にシリアルまたはパラレルのデータポートを介して情報を受け取り、その情報を適切なＲＢＤＳブロックタイプにフォーマットする。
【０００７】
ＲＢＤＳデータ信号は、１１８７．５ビット／秒で伝達される最高３２までのリピーティングデータ「グループ」を含む、特別にエンコードされたテキストストリームである。ＲＢＤＳデータ信号は、リピーティングデータおよび固有データのあり得るデータグループブロックをすべて含んでいる必要はない。一実施の形態では、データ伝送機能のために設計された幾つかのグループの内の１つを使用することが含まれる。
【０００８】
ＲＢＤＳデータグループは４つのブロックで構成され、そのそれぞれはエラーの修正に使用されるチェックワードによって分割されている。ブロック１は、送信側の放送局のコールサインから導出される４桁のプログラム識別コード（ＰＩ）である。ブロック２は、４ビットのタイプコード、およびデータグループが含む情報のタイプを識別するための１ビットのグループバージョンコードを含んでいる。また、このブロックは、トラフィック
情報を放送するものとして送信側の放送局を識別する１ビットのコード、それに続き、放送局で放送されている現在の番組や形式（ロック、オールディーズ、トーク、ニュースなど）を記載する５ビットのプログラムタイプ（ＰＴＹ）コードも含んでいる。ブロック３および４に含まれる情報は、ブロック２に含まれるコードに依存する。ブロック３および４は、特定の情報を特別な受信機に送信することができる２つの１６ビットのデータスロットを提供する。
【０００９】
例えば、ＲＢＤＳグループタイプ２Ａは、ブロック３および４を使用して、ラジオテキスト（ＲＴ）として知られる６４文字のテキストメッセージを送信する。これは、幾つかの放送局が放送中の歌や番組を識別するために使用するスクロールメッセージとして、ＲＢＤＳ使用可能ラジオに表示される。他のグループタイプは、同じ番組制作が使用可能な代替周波数、構内局テキストメッセージ、または緊急警報システム（ＥＡＳ）の通信メッセージを識別するために、これらのブロックを使用する。ＲＢＤＳ標準の詳しい説明は、全米放送協会および全米ラジオシステム委員会から入手可能である。
【００１０】
ヨーロッパで使用されている同様の標準は、欧州ラジオデータサービス（theEuropeanRadioDataService）（ＲＤＳ）である。
【００１１】
ＲＢＤＳ標準を使用している放送会社は、多数のユーザに情報を配信することができる。しかし、この標準では、個々のユーザが放送情報に応答することはできない。
【００１２】
現在、ラジオを聴いている、またはテレビを見ているユーザは、ある歌または番組を特に気に入って購入したいと思うかもしれない。ＲＢＤＳ／ＲＤＳを使用している放送局は、ユーザに放送局のコールサイン、または現在放送されている歌の名前を提供し得るが、ユーザにはその時点で媒体を購入する方法はない。それどころか、ユーザは、その媒体を購入するために識別情報を書き留めておき、または覚えておき、店またはオンライン小売業者のところに行かなければならない。これでは不便であるだけではなく、ユーザが歌の名前を忘れてしまうことや、その歌を販売している店が見つからないこともあり得る。さらに、ラジオ放送局によって提供される情報は、歌を十分識別するには十分ではないかもしれない。例えば、ユーザが歌の題名を知っていても、アーティスト名、アルバム名、あるいは他の必要な識別情報がわからない場合もある。論説ニュース放送やライブイベントなどの幾つかの資料は、購入することはできないこと、あるいは、見つけるのが難しいことがある。ラジオ放送局は、限られた時間内に放送局に電話するように、あるいは回答するようリスナーに要求する募金運動またはリスナー調査をしばしば行う。これらと同じ問題がテレビおよび他の形態の放送媒体にも当てはまる。
【００１３】
（発明の概要）
本発明は、個々のユーザがデータ放送に応答することができるシステムを提供することによって、これらの問題およびその他の問題を解決する。一実施の形態では、自動購入システム（ＡＰＳ）が、ラジオ放送のリスナーに、ラジオを聴きながら音楽や音声などの媒体コンテンツを便利よく購入する機能を提供する。さらに、ユーザは、広告、公共ラジオなどで行われる募金運動、放送中の対話式でのリスナー世論調査などのラジオ放送中の項目に応答することができる。
【００１４】
一実施の形態では、ユーザは、無線通信事業者に「クリエイティブコンテンツ」購入口座を開設する。一実施の形態では、個人のＵＲＬ（Ｗｅｂアドレス）がユーザに割り当てられ、ユーザは、技術を可能にするためのラジオ（ＴＥＲ）またはパーソナルコンピュータを使用して、例えば口座の動きを監視すること、ＡＰＳソフトウェアダウンロードを使用可能または使用不能にすること、スポンサーによって提供された賞品を表示すること、またコンテンツまたはＡＰＳ購入を管理および追跡することが可能になる。
【００１５】
一実施の形態では、ユーザは、ＴＥＲまたはコンテンツ用のＷｅｂアカウントとの間で経路選択を行う。一実施の形態では、ユーザは、ＭＰ３、ＲＡ、Ｌｉｑｕｉｄ  Ａｕｄｉｏなどの圧縮タイプを選択する。
【００１６】
一実施の形態では、各放送会社はＲＢＤＳ／ＲＤＳ、または類似の技術を可能にするためのサーバオンサイトを有し、例えば、放送に含めるためのＲＢＤＳ／ＲＤＳまたは同等のコードを生成し、購入情報を確認し、代金請求のためユーザの無線通信事業者に経路指定し、データマイニングのためにオンライン販売処理を監視し、あるいは、確認された購入をライセンスされたクリエイティブコンテンツプロバイダに経路指定する。
【００１７】
一実施の形態では、ラジオハードウェアは、例えば、（例えばＡＰＳコードを備える内部チップにある）ＲＢＤＳ／ＲＤＳ、または同等のデコーダ機能、フラッシュカードスロットおよび記録機能、または（例えばＡＰＳコードを備える内部チップにある）アーティスト名、歌の題名、クリエイティブコンテンツプロバイダのＩＰアドレス、および後で購入するためのタイムスタンプなど複数の項目の記憶装置を含む。
【００１８】
一実施の形態では、システムは、購入可能な音楽または音声コンテンツを識別するためのデータストリームを、放送信号とともに送信するためにＲＢＤＳ／ＲＤＳを使用する。ＡＰＳシステムに関与する放送機関は、コンテンツが放送されたときにボタンをクリックする、またはラジオに音声コマンドを発するユーザによりなされた購入要求、後でラジオのＡＰＳモジュールに格納されているプレイリストをスクロールして、ラジオに格納されているリストから購入するために１つまたは複数の品目を選択することによる購入要求、またはインターネットを介して個人のＷｅｂアカウントにアクセスしてパーソナルコンピュータにコンテンツをダウンロードすることによる購入要求に応答することができる。一実施の形態では、購入は、購入するために選択された項目のための要求をフラッシュカードまたは記憶技術に保存し、後でインターネットを介して、そのデータを購入用のパーソナルコンピュータに転送することによってなされる。
【００１９】
歌の題名およびアーティスト、作者または出版社、およびデジタルバージョンのコンテンツが格納されている場所のＩＰアドレスなどのデータは、ＲＢＤＳ／ＲＤＳデータストリームを使用して送信され得る。歌の題名およびアーティスト、作者または出版社、およびデジタルバージョンのコンテンツが格納されている場所のＩＰアドレスを表す参照番号が、実行を容易にするため使用され得る。この参照番号は、放送サイト、リモートサイト、または冗長性のためにその両方に配置されたデータサーバ上のＡＰＳサーバソフトウェアによってアクセスされるルックアップテーブルに存在し得る。技術を可能にするためのラジオ（ＴＥＲ）からの購入要求は、無線伝送を介して、あるいは、パーソナルコンピュータを使用し、または携帯電話または無線電話を介してインターネットにアクセスすることによって送信される。一実施の形態では、上記のシステムを使用した各販売の動向が、業界誌、レコード会社などの関係者に販売するための集合データまたは「データマイニング」のために追跡される。
【００２０】
携帯用ラジオは、音声インタフェースまたは購入ボタン、フラッシュカードまたは記憶装置、および９ピンシリアル、ＵＳＢ、無線ネットワーク技術など、ラジオをパーソナルコンピュータに接続するためのポートが装備される。
【００２１】
（好ましい実施の形態の詳細な説明）
本発明は、個々のユーザがデータ放送に応答することができるシステムを提供することによって、従来の技術における様々な問題を解決する。一実施の形態では、自動購入システム（ＡＰＳ:AutomaticPurchaseSystem）によって、ラジオ放送のリスナーが、ラジオを
聴きながら、音楽や音声などの媒体コンテンツを便利に購入することを可能にする。さらに、ユーザは、広告などのラジオ放送中の記事、公共ラジオなどで行われる募金運動、或いは放送中の対話式でのリスナー世論調査に応答することができる。
【００２２】
当業者は、放送することのできる様々な形態の媒体があることを理解し得る。特定のタイプの媒体が以下の例で使用される場合、それは例示が目的であるにすぎず、その例に限定されるべきものではない。様々なタイプの媒体の例には、音楽、歌、音声、テキスト、ビデオなどが含まれる。
【００２３】
図１は、ユーザがデータ放送に応答することができるシステムの一実施の形態を示す。図１には、情報をラジオ受信機１００に放送するラジオ放送局１４０が示されている。ラジオ受信機１００は、ユーザがラジオ放送局の放送に基づく音楽または製品の購入に着手するのを可能にする制御インタフェース１１６を有する。
【００２４】
本明細書を通してＲＢＤＳ／ＲＤＳという用語が使用されるが、他のデータ標準も使用可能であることを理解されたい。一実施の形態では、ラジオ受信機１００は、無線周波数（ＲＦ）復調器部１０２、ＲＢＤＳ／ＲＤＳデコーダ１０６、ＲＢＤＳ／ＲＤＳ機能制御インタプリタ１０４、音声復調器増幅器部１０８、スクロールディスプレイ１１０、インターネットダウンロードディレクタ１１２、ローカルメモリ装置１１４、および制御インタフェース１１６を含む。さらに、受信機１００は、音声復調器増幅器部１０８からスピーカ１１８に音声信号１２８を送信することによって音声出力を提供する。
【００２５】
一実施の形態では、ＲＦ復調器部１０２は、信号を音声信号とデータ信号とに分け、データ信号をＲＢＤＳ／ＲＤＳデコーダ１０６に、音声信号を音声復調器増幅器部１０８に提供する。ＲＢＤＳ／ＲＤＳデコーダ１０６は、ＲＦ復調器部１０２からのデータ信号を構文解析し、そのデータをＲＢＤＳ／ＲＤＳ機能コントローラ１０４、スクロールディスプレイ１１０、およびインターネットダウンロードディレクタ１１２に送信する。
【００２６】
ＲＢＤＳ／ＲＤＳ機能コントローラ１０４は、ＲＢＤＳ／ＲＤＳ標準を使用して送信されたコード１２４を取り扱う。コード１２４は、例えば、プログラムサービス名（ＰＳ）、プログラムタイプ（ＰＴＹ）、プログラム識別（ＰＩ）、トラフィックプログラム（ＴＰ）、トラフィック通知（ＴＡ）などを含む。
【００２７】
一実施の形態では、このデータは、ユーザが聴取するために１つまたは複数のスピーカで再生される音声信号に変換される。４つの文字を有するタイプ２Ａグループが１秒に３．２回送信されるＲＢＤＳ標準の基では、６４文字のラジオテキストメッセージが５秒で送信され得る。
【００２８】
一実施の形態では、オープンアプリケーションデータ（ＯＡＤ）グループへのポインタがタイプ３Ａグループにおいて送信される。ポインタ、１６メッセージビットおよび１６ビット識別子（ＡＩＤ）は、１秒に一度送信される。
【００２９】
一実施の形態では、「タグ付き」プログラムの放送中に使用可能な３７ビットを含むＯＡＤグループが１秒に一度送信される。ＯＡＤグループは、例えば、歌や商業キャンペーンの識別を含む。
【００３０】
一実施の形態では、スクロールディスプレイ１１０が、ＲＢＤＳ／ＲＤＳデコーダ１０６から表示データ１２２を受信する。表示データ１２２は、プログラムサービス名、プログラムタイプなどの情報を含み、あるいは、購入オプションを表示するラジオテキスト情報またはメッセージを含む。
【００３１】
さらに、ＲＢＤＳ／ＲＤＳデコーダ１０６は、ダウンロード可能な音声の場所の指示を含むインターネットダウンロードディレクタ１２２にデータを提供する。例えば、ラジオ放送局１４０は、曲名、アーティスト、アルバム名、その歌がレコーディングされた年など、演奏している現在の歌に関するデータを放送する。また、ラジオ放送局１４０は、歌、論説ニュース放送、歌集、または他のプログラム資料をダウンロードする、または購入することができる場所、および歌の購入価格を提供する情報を放送する。
【００３２】
一実施の形態では、ユーザは、制御インタフェース１１６を使用して、歌をダウンロードするように注文する。制御インタフェース１１６は、インターネットダウンロードディレクタ１１２にダウンロードコマンド信号１２６を提供する。次いでインターネットダウンロードディレクタ１１２は、例えば、ダウンロードすべきファイルの場所、アクセスに必要なセキュリティ手順などのダウンロード命令を提供する。次いでダウンロード情報は、例えば無線インターネット接続１５６を介して認証および代金請求システム１５２に送信される。認証および代金請求システム１５２は、顧客情報を検証して、その顧客の口座にその注文の代価が借方記入され得るか否かを判断する。次いで認証および代金請求システム１５２は、購入が承認されたか否かを示す承認信号１６８を提供する。承認信号１６８は、購入データベースサーバ１５０に送信される。
【００３３】
購入が承認されると、購入データベースサーバ１５０は、購入およびダウンロード認証をダウンロードサーバ１５４に提供する。そしてダウンロードサーバ１５４は、ネットワーク接続１５８を介して要求された資料を送信する。一実施の形態では、上記資料は、無線インターネット接続１５６を使用してラジオ受信機１００に直接送信される。別の実施の形態では、上記資料が、パーソナルコンピュータで利用可能に生成される。一実施の形態では、上記資料は、従来の郵便または小包サービスを使用して送られる。また、ダウンロードサーバ１５４は、音声データベースおよびエンコーディングサーバ１４４と通信して、使用可能な音声データベース情報１６４を提供する。
【００３４】
ラジオ放送局１４０は、ラジオ自動化またはＣＤ再生システム１４２、音声データベース／エンコーディングサーバ１４４、ＦＭ伝送システム１４６、およびＲＢＤＳ／ＲＤＳエンコーダ１４８を含む。ラジオ自動化またはＣＤ再生システム１４２は、放送局のプレイリストから、またはＣＤやＣＤ−ＲＯＭ上にエンコードされた情報を抽出することによって、歌またはラジオ番組に関する情報を抽出することができる。プレイリスト情報は、音声データベースおよびエンコーディングサーバ１４４に提供される。プレイリスト情報は、歌の題名、アーティスト、カット、または他の情報を含む。音声データベース／エンコーディングサーバ１４４は、ラジオ自動化システム１４２から送信された情報を、データベース内の情報に合わせる。ダウンロード可能な音声ファイルがある場合、データベース／エンコーディングサーバ１４４は、ダウンロード情報をフォーマットし、ＲＢＤＳ／ＲＤＳエンコーダ１４８に送信する。対応する情報が購入データベースサーバ１５０にアップロードされる。
【００３５】
ＲＢＤＳ／ＲＤＳエンコーダ１４８は、５７ｋＨｚのＲＢＤＳ／ＲＤＳ副搬送波１７０を使用して、ＲＢＤＳ／ＲＤＳ情報をＦＭ伝送システム１４６に送信する。ＲＢＤＳ／ＲＤＳ副搬送波信号１７０は、ＦＭ伝送システム１４６によってＦＭベースバンドプログラム信号１７２、および他の任意の副搬送波と混合される。次いでＦＭ伝送システム１４６は、ラジオ受信機１００で受信されるＦＭ  ＲＦ信号１６２を送信する。
【００３６】
図１に示すように、ラジオ放送局１４０は、放送されている音楽コンテンツを追跡するための標準ラジオ自動化システム、またはデータ使用可能なオーディオプレイヤを使用して、音声資料を放送し、同時にＲＢＤＳ／ＲＤＳまたは類似のデータを、特定の放送セグ
メントまたは歌のそれぞれに固有識別子を割り当てるＡＰＳサーバ１４４に送信する。
【００３７】
ＡＰＳサーバ１４４は、放送セグメント識別子を、購入可能な音声のデータベース１５０と比較する。放送された音声が入手可能な場合、ＡＰＳサーバ１４４は、放送局のコールサイン情報、およびＩＰアドレスやファイル名などの音声ダウンロード場所を、ＲＢＤＳ／ＲＤＳまたは類似の技術を使用して、ラジオ放送局の放送に挿入されるデータストリームに組み入れる。リスナーまたはユーザによって選択された音声を識別する情報は、ＡＰＳデータサーバに経路指定され、デジタルバージョンの音声コンテンツが格納され、エンドユーザへの転送が可能な場所に渡される。ユーザのラジオ受信機１００は、エンコードされたＲＢＤＳ／ＲＤＳまたは他のデータを受信し認識して、ラジオディスプレイ１１０上に表示し、ユーザに音声が購入可能であることを知らせる。
【００３８】
ユーザが音声コンテンツの購入を選択した場合、あるいは広告または「募金」運動に応答した場合、放送局のデータ、およびユーザの携帯電話、または無線電子シリアル番号（ＥＳＮ）（Ｅｌｅｃｔｒｏｎｉｃ  Ｓｅｒｉａｌ  Ｎｕｍｂｅｒ）、またはクレジットカード番号などの他の識別子を含むリクエストが、音声コンテンツ情報と結び付けられ、ラジオによって発行されて、携帯電話または無線電話伝送を介してＡＰＳデータサーバに渡され、最後に、レコード会社、出版社、またはライセンスをもつコンテンツプロバイダにあるソースサーバに経路指定される。無線接続を使用して「良好な」接続を利用できない場合、またはユーザが無線アカウントを有していない場合、ラジオ内にある内蔵フラッシュカードまたは他の記憶装置１１４に情報を格納しておき、ユーザが選択したときにパーソナルコンピュータに転送することができる。
【００３９】
各サーバは、一般に購入または応答情報を記録する。次いでソースとなる場所にあるダウンロードサーバ１５４は、要求された音声をユーザの携帯電話の口座識別子に関連付けられた経路指定アドレスにアップロードする。次いでユーザの受信機１００は、音声を内蔵メモリまたは可搬性メモリ装置に保存する、あるいは、ユーザがインターネットを使用してそれをダウンロードするのを選択するまで音声コンテンツを保持する。
【００４０】
一実施の形態では、ＲＢＤＳ／ＲＤＳ標準によって「オープンデータアプリケーション」のために取っておいた、幾つかのグループタイプの使用が含まれる。これらのグループは、データアプリケーションとともに使用され、簡単に使用可能となるように設計されている。
【００４１】
図２は、技術を可能にするためのラジオ２００の一例を示している。ラジオ２００は、自動購入システム用のモジュール２０２を含む。一実施の形態では、ＡＰＳは、購入された資料の比較的迅速な送達を提供する。一実施の形態では、迅速な送達は、ユーザが移動中に購入した資料を受け取ることができるように、無線伝送によって提供される。一実施の形態では、システムは遅延送達も行う。これは例えば、ユーザがそのように選択したとき、ユーザが無線アカウントを有していないとき、あるいはユーザが無線接続で伝送のための良好な信号を取得することができないときである。
【００４２】
一実施の形態では、ラジオ２００は、識別子データ２０４を格納し、セキュリティ機能を提供し、ユーザが（ラジオに含まれる音声認識技術２１４に発せらされた音声コマンドを使用すること、またはラジオインタフェース上のボタン２１２を押すことのいずれかによって）なされる経路指定選択を助けるように構成されたＡＰＳモジュール２０２を含む。一実施の形態では、ＡＰＳモジュール２０２は、ＡＰＳのラジオ受信機側機能を実行する独自開発のマイクロチップ（またはマイクロチップの一部）である。一実施の形態では、ＡＰＳモジュール２０２は、ラジオ２００内のプロセッサ上で動くソフトウェアモジュールである。
【００４３】
また、音声コンテンツは、ラジオ２００のＡＰＳモジュール２０２内に格納され、ラジオ２００の外部ディスプレイ２１０に表示されるプレイリスト２０８をスクロールすることによって、後で遅れて購入するために「タグ付け」され得る。それによりユーザは、（ラジオのＡＰＳモジュール２０２に格納され）ディスプレイ２１０に表示されたリストから１つまたは複数の品目を購入のために選択することができる。一実施の形態では、選択された品目は、無線電話などの無線送信機２１８を使用して送信される。別の実施の形態では、ユーザは、プレイリスト２０８を、パーソナルコンピュータ２４０によって読取可能な可搬性メモリ２２０に格納させる。次いでユーザは、コンテンツをパーソナルコンピュータ２４０にダウンロードするために、インターネットを介して、個人のＷｅｂアカウントにアクセスする。ユーザは、この時点で、ダウンロードしたコンテンツを、フラッシュカード、ＣＤ−ＲＯＭなどの記憶装置２４２に転送する。
【００４４】
また、ＡＰＳモジュール２０２を含む非自動ラジオまたは携帯用ラジオは、放送資料のリスナーの選択を実行可能にするために（または広告、募金運動、または他の対話式イベントに応答するために）、音声インタフェース２１４、対話式ボタン２１２のいずれか、またはその両方を含む。また、ＡＰＳモジュール２０２からパーソナルコンピュータ２４０または他の装置内のソフトウェアに選択リストを転送するために、９ピンシリアルポート、ＵＳＢポート、或いは他の任意のポートなど、ラジオ２００とパーソナルコンピュータ２４０との間を接続するように設計されたポート２１６をラジオ２００に組み込んでいてもよい。パーソナルコンピュータ２４０上で実行されるＡＰＳソフトウェアは、インターネットを介して選択された資料の購入を実行可能にする埋込みセキュリティコードを認識する、あるいは広告または募金運動に応答するように構成されている。また、装置の間で選択されたデータを転送するために、例えばＢｌｕｅＴｏｏｔｈ、その他同種類の無線技術が使用される。
【００４５】
ＡＰＳモジュール２０２を装備する自動ラジオおよび関連した技術においては、関連した放送に付随するＲＢＤＳ／ＲＤＳデータ文字列から導出されたアーティストおよび歌の題名などの経路指定情報、ＷＩＮ識別子、およびユーザ電子シリアル番号（ＥＳＮ）を備えた購入要求（または対話式の応答）を送信するために、無線インタフェース２１８が使用される。それにより購入要求および経路指定情報は、処理のため、代金請求の承認のため、そしてユーザの要求に応じて（ラジオ２００にあるユーザのフラッシュカードや記憶技術、個人アカウントＷｅｂ  ＵＲＬなどの）特定の場所にコンテンツを送達するために、ＡＰＳサーバ２６０に向けられる。
【００４６】
自動ラジオ内のフラッシュカードまたは記憶技術２２０は、ユーザに第２の選択肢を提供する。ユーザは、購入する放送コンテンツを選択するために対話式音声技術２１４またはボタンインタフェース２１２を使用して、購入するコンテンツを選択することができる。ユーザが無線電話を有していない場合、またはラジオに接続された無線電話との接続が良好ではない場合、後の使用のために、コンテンツの選択をフラッシュカードまたは記憶技術２２０に格納することができる。
【００４７】
一実施の形態では、ＡＰＳは、良好な接続が得られるまで無線ネットワークをポールし、その時点で選択されたデータが転送されて処理が終了する。ユーザが良好な接続を得られなかった場合、あるいはユーザが無線アカウントを有していない場合、フラッシュカードまたは記憶技術２２０は、ユーザによって後で取り外され、パーソナルコンピュータ２４０に挿入され得る。フラッシュカードまたは記憶技術２２０に格納されている各選択の経路指定情報は、ユーザのパーソナルコンピュータ２４０上で実行されているＡＰＳダウンロードソフトウェアに渡される。ユーザがインターネットにへのアクティブ接続を有すると、コンテンツがラジオ２００内のＡＰＳモジュール２０２から取得された適切なセキ
ュリティコードでタグ付けされさえすれば、ユーザは、ＡＰＳダウンロードソフトウェアによって、選択したコンテンツを購入し、それをパーソナルコンピュータ２４０にダウンロードすることができる。
【００４８】
このシステムを使用して、ユーザは、クーポン、賞品、またはスポンサーが提供する他の賞金の資格を得るためにライブ放送のラジオ広告に応答することができる。また、このシステムは、公共ラジオ放送局で使用される募金運動にも適用可能であり、それによってリスナーは、運転しているときや携帯用ラジオを聴いているときに、募金を約束することができる。また、このシステムはリスナーの世論調査にも使用可能であり、放送会社は、新しい音楽、演説の内容、またはトークショー形式などの一般的な質問に対するリスナーからの迅速な反応を得ることができる。それぞれの場合、ユーザ／リスナーは、ラジオ２００の「応答」ボタン２１２を押すことによって応答することができる。音声使用可能なラジオ２００では、ユーザ／リスナーは、音声コマンドによってコンテンツを注文する、または応答することができる。
【００４９】
また、ユーザは、（購入したコンテンツのアーティストまたは作家のイベントの）割引チケット、関係のあるアーティストまたは音楽ジャンルの購入の提案、レコード会社クラブのグッズ、他の賞品などの賞品を表示する私設のＷｅｂサイトに掲載された提示またはハイパーリンクを受け取ることもできる。ユーザがＡＰＳを使用して購入するように、関連のある本、雑誌の記事、商品、およびイベント情報は掲載される。ラジオ上では入手不能であるが、ＡＰＳ  Ｗｅｂサイトを介したデジタル配布のために直接手配されている既存のデジタルコンテンツプロバイダ、またはコンテンツの所有者のいずれかとの提携を通して提供されるコンテンツのために、ハイパーリンクが掲示されてもよい。
【００５０】
コンテンツ購入の代金請求およびユーザ識別は、ユーザの無線電話アカウントを介して管理される、あるいは、ユーザがＡＰＳ  Ｗｅｂサイトでアカウントを開設してもよい。購入されたコンテンツは、無線電話伝送を使用する受信機、または技術を可能にするためのラジオ（ＴＥＲ）に向けられ、フラッシュカードに格納される。また、購入コンテンツは、特定のアカウントの作成時にユーザに割り当てられた個人のＷｅｂページに向けられる。ユーザは、インターネットを介してそのアカウントにアクセスし、そのユーザは購入したコンテンツをパーソナルコンピュータにダウンロードすればよい。
【００５１】
購入したコンテンツを著作権侵害から保護するために、様々なアクセス権制御およびコピープロテクションが提供される。一実施の形態では、ユーザは、（追加のライセンスが購入されない限り）購入したコンテンツをＣＤまたはフラッシュカードに一度だけコピーすることができる。追加のライセンスは、ＡＰＳダウンロードソフトウェア内、またはユーザのＷｅｂアカウントで、ボタンをクリックすることによって、または無線アカウントからのＥＳＮなどのＡＰＳセキュリティキーやＷＩＮ番号で使用可能になる第３者のソフトウェアパッケージを使用することによって購入される。
【００５２】
各販売処理は、関与している各ラジオ放送局に配置されているＡＰＳサーバによって、インターネットベースのＡＰＳサーバによって、あるいはその両方によって監視される。「データマイニング」によって集められた販売処理のデータは、レコード会社や業界誌など、統計情報や音楽の売上高を追跡することに興味のある会社に販売される。一実施の形態では、ユーザに関する個人情報は開示されない。
【００５３】
一実施の形態では、システムは以下の特徴のうち、１つまたは複数を含む。
【００５４】
１．ユーザは、無線通信事業者に「クリエイティブコンテンツ」購入口座を開設する。
【００５５】
２．個人のＵＲＬ（Ｗｅｂアドレス）がユーザに割り当てられ、
□口座の動きを監視し
□ＡＰＳソフトウェアダウンロードを使用可能または使用不可にし
□スポンサーによって提供された商品を表示し
□ＴＥＲまたはパーソナルコンピュータを使用してコンテンツまたはＡＰＳ購入を管理および追跡する。
【００５６】
・ユーザは、ＴＥＲまたはコンテンツ用のＷｅｂアカウントとの間の経路選択を行う
・ユーザは、ＭＰ３、ＲＡ、Ｌｉｑｕｉｄ  Ａｕｄｉｏなどの圧縮タイプを選択する。
【００５７】
３．各放送会社は、ＲＢＤＳ／ＲＤＳまたは類似の技術を可能にするためのサーバオンサイトを有し、
□放送に含めるためのＲＢＤＳ／ＲＤＳまたは同等のコードを生成し
□購入情報を確認し、代金請求のためユーザの無線通信事業者に経路指定し
□データマイニングのためにオンライン販売処理を監視し
□確認された購入をライセンスされたクリエイティブコンテンツプロバイダに経路指定する。
【００５８】
４．ラジオのハードウェアは、
□（例えばＡＰＳコードを備える内部チップにある）ＲＢＤＳ／ＲＤＳまたは同等のデコーダ機能
□フラッシュカードスロットおよび記録機能（オプション）
□（例えばＡＰＳコードを備える内部チップにある）アーティスト名、歌の題名、クリエイティブコンテンツプロバイダのＩＰアドレス、および後で購入するためのタイムスタンプを含む複数の項目の記憶装置
を含む。
【００５９】
一実施の形態では、システムは、購入可能な音楽または音声コンテンツを識別するためのデータストリームを、放送信号とともに送信するためにＲＢＤＳ／ＲＤＳを使用する。ＡＰＳシステムに関与する放送機関は、コンテンツが放送されたときにボタンをクリックする、またはラジオに音声コマンドを発するユーザによりなされた購入要求、後でラジオのＡＰＳモジュールに格納されているプレイリストをスクロールして、ラジオに格納されているリストから購入するための１つまたは複数の項目を選択することによる購入要求、またはインターネットを介して個人のＷｅｂアカウントにアクセスしてパーソナルコンピュータにコンテンツをダウンロードすることによる購入要求に応答する。一実施の形態では、購入は、購入するために選択された項目のための要求をフラッシュカードまたは記憶技術に保存し、後でインターネットを介して、そのデータを購入用のパーソナルコンピュータに転送することによってなされる。
【００６０】
歌の題名およびアーティスト、作者または出版社、およびデジタルバージョンのコンテンツが格納されている場所のＩＰアドレスなどのデータは、ＲＢＤＳ／ＲＤＳデータストリームを使用して送信される。歌の題名およびアーティスト、作者または出版社、およびデジタルバージョンのコンテンツが格納されている場所のＩＰアドレスを表す参照番号が、実行を容易にするため使用される。この参照番号は、放送サイト、リモートサイト、または冗長性のためにその両方に配置されたデータサーバ上のＡＰＳサーバソフトウェアによってアクセスされるルックアップテーブルに存在し得る。技術を可能にするためのラジオ（ＴＥＲ）からの購入要求は、無線伝送を介して、あるいは、パーソナルコンピュータを使用し、または携帯電話または無線電話を介してインターネットにアクセスすることによって送信される。一実施の形態では、上記のシステムを使用した各販売の動向が、業界
誌、レコード会社などの関係者に販売するための集合データまたは「データマイニング」のために追跡される。
【００６１】
携帯用ラジオは、音声インタフェースまたは購入ボタン、フラッシュカードまたは記憶装置、および９ピンシリアル、ＵＳＢ、無線ネットワーク技術など、ラジオをパーソナルコンピュータに接続するためのポートを装備する。
【００６２】
音楽ラジオ放送局は、フォーマットの一貫性及び成立を確保するために、しばしばコンピュータプログラム化され、最適化されたプレイリストに依存する。多くの放送局は、ハードディスクライブラリから再生する、あるいはＣＤチェンジャを制御するコンピュータベースの再生システムを使用する。その日の最初に、情報を含んでいるこれらのコンピュータに、プレイリストがロードされる。これらの「自動化」システムにより、機能および動作の連続的なロギングが提供され、シリアルデータなど様々な方法で「実際に再生された」情報を出力することができる。データは、イベントが行われたときに取得され得る、あるいはテキストファイルから読み取られ得る。ほとんどの自動化されたシステムは、シリアルポートから情報を送信するようにプログラム化される。
【００６３】
ＲＢＤＳ／ＲＤＳを使用し、ラジオテキストグループに歌の情報を表示するために、このデータを使用していた放送局もあった。より最近では、放送局は、「現在再生中の」メッセージをインターネットＷｅｂサイト上に送るために、この情報を使用している。
【００６４】
紙のプレイリストから手動でＣＤを再生する放送局でさえ、必要な情報を提供する。専門のＣＤプレイヤは、通常、ＣＤコード情報を送信するようにプログラムされ得るシリアルポート（すなわちＲＳ２３２、ＲＳ４８５）を有する。このコード情報は、インターネット使用可能なコンピュータで使用され、ＣＤ−ＲＯＭプレイヤに挿入されたＣＤの歌情報を、ＣＤＤＢ．ｃｏｍとして知られるＷｅｂサイトから自動的にダウンロードするための歌コードと似ている。すべてのＲＩＡＡ登録ＣＤは、ＲＩＡＡで登録された固有の登録コードを有する。したがって、ＲＩＡＡ登録ＣＤにおいては、歌はトラック番号とともに、登録コード番号によって識別される。ＲＩＡＡで登録されていないコンテンツの場合、登録コードはＡＰＳによって提供される。一実施の形態では、リスナーにＡＰＳサービスを提供する放送会社は、識別子コードをそのコンテンツに割り当てる。一実施の形態では、ＲＩＡＡでない登録コンテンツのための識別子コードがＡＰＳ登録機関またはサービスによって提供される。
【００６５】
一実施の形態では、前記システムは、プレイリストデータ、または放送コンテンツを識別する参照番号を取得することによって動作する。プレイリストデータは、ＡＰＳサーバソフトウェア、またはＡＰＳサーバソフトウェアと互換性のあるＲＤＳ／ＲＢＤＳエンコーダとの組合せのいずれかによって、ＲＢＤＳ／ＲＤＳデータ副搬送波に含められる。
【００６６】
データソースが識別されると、接続経路が、放送会社とＡＰＳデータサーバとの間で確立される。ＡＰＳデータサーバにあるＡＰＳソフトウェアは、「ルックアップ」テーブル中にその情報を格納する。「カット番号」を表すコード、またはアーティスト、歌の題名などのテキスト歌情報が、その歌が音楽出版社やレコード会社などのコンテンツ所有者からダウンロード可能か否かを決定するために、内部のルックアップテーブルに対して参照される。要求されたコンテンツの入手可能性について判定がなされると、ＡＰＳデータサーバにあるＡＰＳソフトウェアは、ダウンロード場所、および／またはファイル名を含むＲＢＤＳ／ＲＤＳ標準のグループ３およびグループ４のデータを含み得るデータストリームを構築する。次いでＡＰＳソフトウェアは、関与する放送会社にある互換性のあるＲＤＳ／ＲＢＤＳエンコーダに情報を送信する。
【００６７】
例えば、ＲＢＤＳ標準に含まれる６４文字のテキストスペースは、ＡＰＳソフトウェアが、出版社、レコード会社、報道機関などの適切なダウンロードサイトに、ユーザからの購入要求を経路指定できるようにすることができるルックアップテーブルに含まれる参照コード、またはインターネットＩＰアドレスおよびディレクトリ場所を含むのに十分な長さである。
【００６８】
ＡＰＳデータサーバにあるＡＰＳソフトウェアは、互換性のあるＲＢＤＳ／ＲＤＳデータ信号を作成し、各放送場所にあるスレーブエンコーダを提供するように使用される。また、ＡＰＳソフトウェアは、代金請求を確認し、売上における会社の取り分の支払いについて放送会社に貸方記入するために、各照会および購入を追跡する。また、ＡＰＳソフトウェアは、処理データの将来的な販売のためにデータマイニングの追跡を行う。
【００６９】
一実施の形態では、ＲＢＤＳ／ＲＤＳエンコーダは、データストリームの非ＡＰＳ要素（放送局の識別子（コールサイン）、日時など）をフォーマットし、エンコードし、ＡＰＳデータサーバのＡＰＳソフトウェアは、歌の題名、アーティスト情報、作家、ニュースサービスなどコンテンツ固有データを、ＲＢＤＳ／ＲＤＳエンコーダの標準インタフェースを介して、連続的なＲＢＤＳ／ＲＤＳデータストリームに挿入する。ＡＰＳデータサーバソフトウェアは、コンテンツ固有情報を提供するのに十分適しているが、他のＲＢＤＳ／ＲＤＳグループの用途は、それらの用途のために設計された放送機器によってよりよく管理される。
【００７０】
ＲＢＤＳ／ＲＤＳは、ＦＭのみの伝送システムであるが、当業者は、ＡＰＳデータは、他のラジオサービス（例えば、ＡＭなど）に含まれ得ることを理解されよう。
【００７１】
デジタル音声放送（ＤＡＢ）、それには音声信号に追随する柔軟性のあるオープンソースのデータ伝送機能が含まれる。InBandOnChannel（ＩＢＯＣ）として知られる技術を使用して、デジタル音声およびＡＭ放送局やＦＭ放送局の現在のアロケーションへのデータ伝送を適合させるシステムが知られている。ＩＢＯＣにおいては、どのような用途とされても、放送局によって使用される放送信号内に補助データストリームが含められる。補助データストリーム信号は、ＡＰＳ情報を運ぶために使用され得る。
【００７２】
また、他の開発中のラジオシステムは、放送されている音楽または他の資料をうまく獲得することができるようにする、ＡＰＳシステムによって使用される情報を送信するために使用され得るデータパスを含む。ＸＭ衛星やシリウス衛星ラジオなどの衛星ＤＡＢプロバイダは、互換性のある受信機に送信されている音声データ信号および補助データ信号にアクセスする。
【００７３】
他の音声サービスが発達するにつれて、無料の同時データを送信する機能がＡＰＳの構成要素として使用可能となってきた。ＡＰＳは、システム全体の大幅な変更なしに、簡単に新しい各伝送形態に適合され得る。
【００７４】
ＢｌｕｅＴｏｏｔｈや他の無線ネットワーク技術などのシステムを使用した高速インターネットアクセスにおける無線技術および関係する開発によって、より新しく、より早い技術を利用することで、所望の資料をより早いダウンロードが可能となる。
【００７５】
世界中のテレビ信号の送信に使用されるＮＴＳＣ、ＰＡＬ、他の技術によって、搬送波信号内の副搬送波データを送信する類似の機能が可能となる。
【００７６】
図３は、技術を可能にするためのテレビ（ＴＥＴ）アダプタ３００の一例を示している。テレビアダプタ３００は、自動購入システム用モジュール３０２を含む。一実施の形態
では、テレビアダプタ３００は、テレビに組み込まれている。一実施の形態では、テレビアダプタ３００は、セットトップボックスである。一実施の形態では、ＡＰＳは購入した資料の比較的迅速な配信を提供する。購入可能な資料は、音楽、ビデオ、プリント、募金、または表示された広告に関係する消費財など、広範の製品をカバーすることができる。一実施の形態では、ケーブルモデムを使用することによって迅速な送達が実現される。一実施の形態では、テレビアダプタ３００は、データをダウンロードするためにモデムおよびテレビ接続を使用する。一実施の形態では、テレビアダプタ３００は、データをダウンロードするためにネットワーク接続を使用する。一実施の形態では、例えば、ユーザがそのように選択したとき、ユーザがケーブルモデムを有していないとき、ユーザがその場所でのネットワークアカウントを有してないとき、あるいはユーザが無線接続で伝送のための良好な信号を取得できないとき、システムは遅延送達を行う。
【００７７】
一実施の形態では、テレビアダプタ３００は、識別子データ３０４を格納し、セキュリティ機能を提供し、ユーザが（テレビアダプタに含まれる音声認識技術３１４に発せられる音声コマンドを使用すること、またはテレビアダプタインタフェース上のボタン３１２を押すことのいずれかによって）なされる経路指定選択を助けるように構成されたＡＰＳモジュール３０２を含む。一実施の形態では、ＡＰＳモジュール３０２は、ＡＰＳのテレビアダプタ側機能を実行する独自開発のマイクロチップ（またはマイクロチップの一部）である。一実施の形態では、ＡＰＳモジュール３０２は、テレビアダプタ３００内のプロセッサ上で動くソフトウェアモジュールである。
【００７８】
また、資料は、テレビアダプタ３００のＡＰＳモジュール３０２内に格納され、外部テレビディスプレイ３８０に表示される選択リスト３０８をスクロールすることによって、後で遅れて購入するために「タグ付け」され得るそれによりユーザは、（テレビアダプタのＡＰＳモジュール３０２に格納され）ディスプレイ３８０に表示されたリストから１つまたは複数の品目を購入のために選択することができる。一実施の形態では、選択された品目は、ケーブルモデムを使用して送信される。一実施の形態では、選択された品目は、無線電話などの無線送信機３１８を使用して送信される。別の実施の形態では、ユーザは、選択リスト３０８を、パーソナルコンピュータ３４０によって読取り可能な可搬性メモリ３２０に格納することができる。次いでユーザは、コンテンツをパーソナルコンピュータ３４０にダウンロードするために、インターネットを介して、個人のＷｅｂアカウントにアクセスする。ユーザは、この時点で、ダウンロードしたコンテンツを、例えばフラッシュカードやＣＤ−ＲＯＭなどの記憶装置３４２に転送する。
【００７９】
また、ＡＰＳモジュール３０２からパーソナルコンピュータ３４０または他の装置内のソフトウェアに選択リストを転送するために、９ピンシリアルポート、ＵＳＢポート、或いは他の任意のポートなど、テレビアダプタ３００とパーソナルコンピュータ３４０との間を接続するように設計されたポート３１６をテレビアダプタ３００に組み込むこともできる。パーソナルコンピュータ３４０上で実行されるＡＰＳソフトウェアは、インターネットを介して選択された資料の購入を実行可能にする埋込みセキュリティコードを認識する、あるいは広告または募金運動に応答するように構成されている。また、装置の間で選択されたデータを転送するために、例えばＢｌｕｅＴｏｏｔｈ、その他同種類のものなどの無線技術を使用する。
【００８０】
一実施の形態では、ＡＰＳモジュール３０２を装備するテレビアダプタおよび関連した技術においては、関連した放送に付随するＲＢＤＳ／ＲＤＳデータ文字列から導出されたアーティストおよび歌の題名などの経路指定情報、ＷＩＮ識別子、およびユーザ電子シリアル番号（ＥＳＮ）を備えた購入要求（または対話式の応答）を送信するために、無線インタフェース２１８が使用される。一実施の形態では、購入要求を送信するために、テレビアダプタは、モデム（例えば電話モデム、ケーブルモデムなど）または他のネットワー
ク接続が使用される。それにより購入要求および経路指定情報は、処理のため、代金請求の承認のため、そしてユーザの要求に応じて（テレビアダプタ３００にあるユーザのフラッシュカードや記憶技術、個人アカウントＷｅｂ  ＵＲＬなどの）特定の場所にコンテンツを送達するために、ＡＰＳサーバ３６０に向けられる。一実施の形態では、購入された資料は、従来の郵便または小包サービスで配達される。
【００８１】
テレビアダプタ内のフラッシュカードまたは記憶技術３２０は、ユーザに第２の選択肢を提供する。ユーザは、購入する放送コンテンツを選択するために対話式音声技術３１４またはボタンインタフェース３１２を使用して、購入するコンテンツを選択することができる。ユーザが無線接続を有していない場合、後の使用のために、コンテンツの選択をフラッシュカードまたは記憶技術３２０に格納することができる。
【００８２】
ユーザのＡＰＳへのアクセスは、リモート制御、音声による対話、または実際のＴＶ上のボタンによって提供される。ユーザは放送コンテンツを見ているときに、購入するため、広告に応答するため、賞品の資格を得るためにテレビ放送に応答し、あるいは公共テレビの募金運動、またはトーク番組やゲーム番組などの対話式イベントに応答することができる。
【００８３】
一実施の形態では、ユーザの応答は、パーソナルコンピュータ、セットトップボックス、およびそれらと同様のものなどのコンピューティング装置に、（例えば、フラッシュカードや他の可搬性記憶媒体、コンピュータとＴＥＴとの間のネットワーク接続、ＢｌｕｅＴｏｏｔｈなどの無線接続を介して）提供される。それによりコンピューティング装置は、上述したラジオの実施の形態で説明したのと同様の方法で、コンテンツを転送するのに使用される。
【００８４】
一実施の形態では、ＴＥＴからコンピューティング装置へのケーブル接続は、ユーザの反応を即座に転送するために使用される。一実施の形態では、例えばシリアルポート、ＵＳＢポート、赤外線ポート、パラレルポート、Ｅｔｈｅｒｎｅｔ（登録商標）ポート、或いは他のポート技術などの通信ポートを使用して、ＴＥＴとコンピューティング装置との間でデータが転送される。
【００８５】
一実施の形態では、ＡＰＳモジュールは、Ｗｅｂで使用可能なケーブルまたは衛星テレビ双方向サービスも提供する。一実施の形態では、（例えばケーブルモデムなどの）モデムがＴＥＴに含まれており、それによってＴＥＴがユーザ応答要求を直接（ケーブル会社などの）コンテンツプロバイダに送信することができる。一実施の形態では、ＡＰＳシステムが従来のテレビで使用され得るように、ＡＰＳモジュールがケーブルセットトップボックスに備えられている。
【００８６】
上述したラジオの実施の形態で使用される経路指定、顧客識別、セキュリティ、追跡、および購入のためのメカニズムもまた、ＴＥＴで使用され得る。
【００８７】
ダウンロードサーバ、購入データベースサーバ、音声データベースサーバ、およびエンコーディングサーバは、１つまたは複数のコンピュータに存在させることができ、示したサーバの編成は説明のためのものであることを理解されたい。本明細書に記載した機能の一部またはすべてを実施するために、１つまたは複数のプログラムが使用される。
【００８８】
好ましい実施の形態の上記の説明は、例として示したものにすぎず、限定の意味に解釈されるべきではない。本発明は、ある好ましい実施の形態の見地から説明してきたが、ここに明らかにした利点および特徴のすべてを具備しない実施の形態を含めて、当業者には明らかである他の実施の形態も本発明の技術的範囲内である。したがって、本発明の技術
的範囲は、添付した特許請求の範囲の参照によってのみ定義される。
【図面の簡単な説明】
【００８９】
【図１Ａ】個々のラジオ受信機に情報を放送するラジオ放送局とともに電子購入システムを示す図である。
【図１Ｂ】個々のラジオ受信機に情報を放送するラジオ放送局とともに電子購入システムを示す図である。
【図１Ｃ】個々のラジオ受信機に情報を放送するラジオ放送局とともに電子購入システムを示す図である。
【図１Ｄ】個々のラジオ受信機に情報を放送するラジオ放送局とともに電子購入システムを示す図である。
【図２】自動購入システムモジュールを含むラジオ受信機を示す図である。
【図３】自動購入システムモジュールを含むテレビアダプタを示す図である。
【図１Ａ】
2011239429.tif 000003
【図１Ｂ】
2011239429.tif 000004
【図１Ｃ】
2011239429.tif 000005
【図１Ｄ】
2011239429.tif 000006
【図２】
2011239429.tif 000007
【図３】
2011239429.tif 000008
【手続補正書】
【提出日】平成23年7月21日(2011.7.21)
【手続補正１】
【補正対象書類名】特許請求の範囲
【補正対象項目名】全文
【補正方法】変更
【補正の内容】
【特許請求の範囲】
【請求項１】
対話式放送応答を処理するシステムであって、
特定の放送セグメントに対応する放送者と情報を通信する第一通信インターフェースと、
少なくとも前記特定の放送セグメントに対応する固有参照タグのエントリを有するデータベースと、
第一信号ストリームに応答するユーザ装置から送信された応答を受信する第二通信インターフェースと、を備え、
前記応答は、前記ユーザ装置に関連付けられたユーザ識別子に対応する情報、および前記固有参照タグを含み、前記固有参照タグは、前記応答が応答する前記特定の放送セグメントの識別を可能とする、
システム。
【請求項２】
前記固有参照タグは、外部システムによって生成される、
請求項１に記載のシステム。
【請求項３】
前記固有参照タグは、該固有参照タグのエントリを有するデータベースによって生成される、
請求項１に記載のシステム。
【請求項４】
対話式放送セグメント応答を処理するシステムであって、
放送セグメント応答を受信する応答受信モジュールであって、前記放送セグメント応答が放送セグメントの特定の実体の識別を可能とするデータを少なくとも含み、また、前記放送セグメント応答のソースを識別する少なくとも１つの識別子を含む、応答受信モジュールと、
前記少なくとも１つの識別子に関連付けられたソースの詳細を確認する確認モジュールと、
少なくとも前記ソースの詳細を使用して要求を処理する要求処理モジュールと、
リンクを導出するリンク決定モジュールであって、該リンクは前記放送セグメントに関連付けられた放送セグメント情報へのアクセスを可能とする、リンク決定モジュールと、
前記リンクを介したインターネットへのアクセスを提供するインターネットアクセスモジュールと、
を備えるシステム。
【請求項５】
前記インターネットアクセスモジュールは、前記放送セグメント応答が前記インターネットを介して始められるように構成されている、
請求項４に記載のシステム。
【請求項６】
前記放送セグメント応答のソースは計算装置である、
請求項４に記載のシステム。
【請求項７】
前記リンクを介したインターネットへのアクセスは、ユーザアカウントと関連付けられる、
請求項４に記載のシステム。
【請求項８】
前記放送セグメント応答は、選択された選択肢を更に含み、前記リンクは、前記選択された選択肢に対応する追加の情報を更に含む、
請求項４に記載のシステム。
【請求項９】
前記リンクを介してアクセスされた放送セグメント情報が、コンテンツの題名、コンテンツの作者、コンテンツに貢献したアーティスト、コンテンツの購入価格、放送セグメントに含まれるコンテンツの格納場所、放送者、コンテンツ識別子、コンテンツのソース、広告、募金運動、放送中の対話式リスナー調査、音声コンテンツ、トークショー質問、ゲーム番組、およびニュースサービス、のうち少なくとも１つを含む、
請求項４に記載のシステム。
【請求項１０】
前記放送セグメント応答のソースは、通信を行うことが出来るモバイル装置である、
請求項４に記載のシステム。
【請求項１１】
前記放送セグメント応答は、ユーザ装置およびユーザの少なくとも何れか１つを識別する、
請求項４に記載のシステム。
【請求項１２】
無線信号を処理する通信装置は、計算装置上でリンクによって表される放送セグメント応答のソースである、
請求項４に記載のシステム。
【請求項１３】
特定の放送セグメントに関するデータマイニングから導出される報告を生成する応答集合方法であって、
少なくとも１つの通信装置からのデータの受信であって、該データは前記少なくとも１つの通信装置を介して受信した前記特定の放送セグメントに対応する、データの受信と、
受信データに関連する情報のデータマイニングであって、該データマイニングは少なくとも受信したデータと、該受信したデータの少なくとも一部を使用してアクセスしたデータベースから得られたデータとを利用する、データマイニングと、
前記データマイニングの結果から少なくとも一部を導出した報告の生成であって、該報告は前記特定の放送セグメントを識別する集合データを含む、報告の生成と、
を備える方法。
【請求項１４】
前記受信したデータは、前記特定の放送セグメントの固有識別を可能にするデータを含む、
請求項１３に記載の方法。
【請求項１５】
前記受信したデータは、前記通信装置のユーザの識別を可能にするデータを含む、
請求項１３に記載の方法。
【請求項１６】
前記受信したデータは、前記通信装置の識別を可能にするデータを含む、
請求項１３に記載の方法。
【請求項１７】
前記受信したデータは、前記特定の放送セグメントのコンテンツ識別を含む、
請求項１３に記載の方法。
【請求項１８】
前記受信したデータは、デジタルコンテンツの場所の識別を含む、
請求項１３に記載の方法。
【請求項１９】
前記報告は、前記特定の放送セグメントに関連付けられたタイムスタンプを含む、
請求項１３に記載の方法。